(57)【要約】【課題】移動店舗の営業状態などを顧客が容易に取得できるようにすること。【解決手段】移動店舗６（図１）は、移動店舗端末３を搭載しており、移動店舗端末３は、ＧＰＳ衛星４からのＧＰＳ信号により現在位置を取得することができる。移動店舗端末３は、移動店舗６の営業用扉の開閉や移動店舗６の加速度を検出するセンサを備えており、これらのセンサの検出値によって、移動店舗端末３は店舗状態を判断する。移動店舗端末３は、移動店舗６が開店していると判断した場合、現在位置と開店した旨をアプリケーションサーバ２０２に通知する。そして、アプリケーションサーバ２０２は、ウェブサイト上の地図で移動店舗６の現在位置上に、移動店舗６が営業していることをアイコンにて表示する。また、ウェブサイトでは、移動店舗６の管理者が登録した詳細な店舗情報をアイコンに連動させて表示される。【選択図】図１
2008123278.tif 000002
【特許請求の範囲】
【請求項１】
移動手段を備えた移動店舗に搭載される移動店舗端末であって、
自己の識別情報を記憶した識別情報記憶手段と、
現在位置を計測する現在位置計測手段と、
前記移動店舗が開店しているか否かの店舗状態を取得する店舗状態取得手段と、
前記店舗状態取得手段で取得された店舗状態が開店状態である場合に、前記記憶した識別情報と、前記計測した現在位置と、を含む開店情報を所定のサーバに送信する開店情報送信手段と、
を具備したことを特徴とする移動店舗端末。
【請求項２】
前記開店情報送信手段は、前記店舗状態取得手段で取得する店舗状態が閉店状態から開店状態に変化した際に、前記開店情報を送信することを特徴とする請求項１に記載の移動店舗端末。
【請求項３】
前記店舗状態取得手段で取得される店舗状態が閉店状態であった場合に、前記記憶した識別情報を含む閉店情報を前記所定のサーバに送信する閉店情報送信手段を具備したことを特徴とする請求項１、又は請求項２に記載の移動店舗端末。
【請求項４】
前記店舗状態取得手段は、前記移動店舗の店舗扉の開閉状態を検出し、前記店舗扉が開状態の場合に開店状態と判断し、前記店舗扉が閉状態の場合に閉店状態と判断することを特徴とする請求項１、請求項２、又は請求項３に記載の移動店舗端末。
【請求項５】
前記店舗状態取得手段は、前記移動手段による店舗の加速度を検出し、前記店舗扉が開状態でかつ前記検出した加速度が０の場合に開店状態と判断することを特徴とする請求項４に記載の移動店舗端末。
【請求項６】
前記計測した現在位置により前記店舗が所定の地域に進入したことを検出する進入検出手段と、
前記進入検出手段で進入を検知した場合に、前記移動店舗が当該所定の地域に進入したことを所定のサーバに通知する進入通知手段と、
を具備したことを特徴とする請求項１から請求項５までのうちの何れか１の請求項に記載の移動店舗端末。
【請求項７】
前記進入検出手段で前記所定の地域への進入を検出した後、前記現在位置計測手段によって計測される現在位置によって、前記移動店舗が前記所定の地域から逸脱したことを検出する逸脱検出手段と、
前記逸脱検出手段で逸脱を検知した場合に、前記移動店舗が当該所定の地域から逸脱したことを前記所定のサーバに通知する逸脱通知手段と、
を具備したことを特徴とする請求項６に記載の移動店舗端末。
【請求項８】
請求項１から請求項７の何れか１の請求項に記載の所定のサーバであって、
移動手段を備えた移動店舗に搭載される移動店舗端末から、当該移動店舗端末の識別情報と現在位置を含む開店情報を受信する開店情報受信手段と、
前記受信した識別情報の移動店舗端末を搭載した移動店舗が開店していることを表す開店表示情報を、ウェブサイト上の地図の前記受信した現在位置において表示する開店表示手段と、
を具備したことを特徴とするサーバ。
【請求項９】
所定の端末から前記受信した現在位置の補正位置を受信する補正位置受信手段と、
前記受信した補正位置を用いて、前記開店表示情報を表示した位置を補正する補正手段と、
を具備したことを特徴とする請求項８に記載のサーバ。
【請求項１０】
前記移動店舗端末から、当該移動店舗端末の識別情報を含む閉店情報を受信する閉店情報受信手段と、
前記受信した識別情報の移動店舗端末を搭載した移動店舗の開店表示情報を前記ウェブサイト上の地図で非表示にする非表示手段と、
を具備したことを特徴とする請求項８、又は請求項９に記載のサーバ。
【請求項１１】
請求項６、又は７に記載の移動手段を備えた移動店舗に搭載される移動店舗端末から所定の地域への進入の通知を受信する所定のサーバであって、
電子メールアドレスと、地域と、を関連づけて記憶した電子メールアドレス記憶手段と、
前記移動店舗端末から、前記移動店舗が進入した地域の通知を受信する進入通知受信手段と、
前記進入通知受信手段で通知を受信した場合に、当該通知された地域に前記関連づけられている電子メールアドレスに宛てて所定の電子メール本文を送信する電子メール送信手段と、
を具備したことを特徴とするサーバ。
【請求項１２】
移動手段を備えた移動店舗に搭載される移動店舗端末が行う情報処理方法であって、
前記移動店舗端末は、自己の識別情報を記憶した識別情報記憶手段と、現在位置計測手段と、店舗状態取得手段と、開店情報送信手段と、を備え、
前記現在位置計測手段で、現在位置を計測する現在位置計測ステップと、
前記店舗状態取得手段で、前記移動店舗が開店しているか否かの店舗状態を取得する店舗状態取得ステップと、
前記店舗状態取得ステップで取得された店舗状態が開店状態である場合に、前記開店情報送信手段で、前記記憶した識別情報と、前記計測した現在位置と、を含む開店情報を所定のサーバに送信する開店情報送信ステップと、
から構成されたことを特徴とする情報処理方法。
【請求項１３】
請求項１から請求項７の何れか１の請求項に記載の移動店舗端末から開店情報を受信する所定のサーバが行う情報処理方法であって、
前記所定のサーバは、開店情報受信手段と、開店表示手段と、を備え、
前記開店情報受信手段によって、移動手段を備えた移動店舗に搭載される移動店舗端末から、当該移動店舗端末の識別情報と現在位置を含む開店情報を受信する開店情報受信ステップと、
前記開店表示手段によって、前記受信した識別情報の移動店舗端末を搭載した移動店舗が開店していることを表す開店表示情報を、ウェブサイト上の地図の前記受信した現在位置において表示する開店表示ステップと、
から構成されたことを特徴とする情報処理方法。
【請求項１４】
請求項６、又は７に記載の移動手段を備えた移動店舗に搭載される移動店舗端末から所定の地域への進入の通知を受信する所定のサーバが行う情報処理方法であって、
前記所定のサーバは、電子メールアドレスと、地域と、を関連づけて記憶した電子メールアドレス記憶手段と、進入通知受信手段と、電子メール送信手段と、を備え、
前記進入通知受信手段によって、前記移動店舗端末から、前記移動店舗が進入した地域の通知を受信する進入通知受信ステップと、
前記電子メール送信手段によって、前記進入通知受信手段で通知を受信した場合に、当該通知された地域に前記関連づけられている電子メールアドレスに宛てて所定の電子メール本文を送信する電子メール送信ステップと、
から構成されたことを特徴とする情報処理方法。
【発明の詳細な説明】
【技術分野】
【０００１】
本発明は、移動店舗端末、サーバ、及び情報処理方法に関し、例えば、移動店舗の店舗状態をネットワーク上で顧客に通知するものに関する。
【背景技術】
【０００２】
インターネット利用者の増加に伴い、パーソナルコンピュータや携帯電話などのウェブサイト上で店舗情報を表示することが行われている。
これによると、店舗の営業内容や位置などがアイコンなどによって地図上に表示されると共に、顧客がアイコンなどを選択すると詳細な情報が表示されるようになっている。
このようにウェブサイト上の地図に店舗情報を表示する技術として、例えば、特許文献１に記載された「広告情報の供給方法およびその登録方法」がある。
これは、広告主がウェブサイト上の地図で店舗所在地に広告を表示し、顧客がこれを閲覧するものである。
【特許文献１】特開平９−０３４９０２号公報
【発明の開示】
【発明が解決しようとする課題】
【０００３】
近年は、車両などの移動体で店舗を構成し、営業地点を移動しながら営業する移動店舗が多くなってきた。
移動体店舗では、例えば、パン、コーヒー、各種ファーストフード、弁当、飲み物、アイスクリーム、生鮮魚介類などの飲食物を提供したり、あるいは、書籍や雑貨を提供したりしている。
移動店舗は、顧客のいる地点を移動できるという利点がある一方、顧客側からは移動店舗の営業地点や営業内容を把握しにくいという欠点があった。
【０００４】
そこで、本発明の目的は、移動店舗の営業地点などを顧客が容易に取得できるようにすることである。
【課題を解決するための手段】
【０００５】
本発明は、前記目的を達成するために、請求項１に記載の発明では、移動手段を備えた移動店舗に搭載される移動店舗端末であって、自己の識別情報を記憶した識別情報記憶手段と、現在位置を計測する現在位置計測手段と、前記移動店舗が開店しているか否かの店舗状態を取得する店舗状態取得手段と、前記店舗状態取得手段で取得された店舗状態が開店状態である場合に、前記記憶した識別情報と、前記計測した現在位置と、を含む開店情報を所定のサーバに送信する開店情報送信手段と、を具備したことを特徴とする移動店舗端末を提供する。
請求項２に記載の発明では、前記開店情報送信手段は、前記店舗状態取得手段で取得する店舗状態が閉店状態から開店状態に変化した際に、前記開店情報を送信することを特徴とする請求項１に記載の移動店舗端末を提供する。
請求項３に記載の発明では、前記店舗状態取得手段で取得される店舗状態が閉店状態であった場合に、前記記憶した識別情報を含む閉店情報を前記所定のサーバに送信する閉店情報送信手段を具備したことを特徴とする請求項１、又は請求項２に記載の移動店舗端末を提供する。
請求項４に記載の発明では、前記店舗状態取得手段は、前記移動店舗の店舗扉の開閉状態を検出し、前記店舗扉が開状態の場合に開店状態と判断し、前記店舗扉が閉状態の場合に閉店状態と判断することを特徴とする請求項１、請求項２、又は請求項３に記載の移動店舗端末を提供する。
請求項５に記載の発明では、前記店舗状態取得手段は、前記移動手段による店舗の加速度を検出し、前記店舗扉が開状態でかつ前記検出した加速度が０の場合に開店状態と判断することを特徴とする請求項４に記載の移動店舗端末を提供する。
請求項６に記載の発明では、前記計測した現在位置により前記店舗が所定の地域に進入したことを検出する進入検出手段と、前記進入検出手段で進入を検知した場合に、前記移動店舗が当該所定の地域に進入したことを所定のサーバに通知する進入通知手段と、を具備したことを特徴とする請求項１から請求項５までのうちの何れか１の請求項に記載の移動店舗端末を提供する。
請求項７に記載の発明では、前記進入検出手段で前記所定の地域への進入を検出した後、前記現在位置計測手段によって計測される現在位置によって、前記移動店舗が前記所定の地域から逸脱したことを検出する逸脱検出手段と、前記逸脱検出手段で逸脱を検知した場合に、前記移動店舗が当該所定の地域から逸脱したことを前記所定のサーバに通知する逸脱通知手段と、を具備したことを特徴とする請求項６に記載の移動店舗端末を提供する。
請求項８に記載の発明では、請求項１から請求項７の何れか１の請求項に記載の所定のサーバであって、移動手段を備えた移動店舗に搭載される移動店舗端末から、当該移動店舗端末の識別情報と現在位置を含む開店情報を受信する開店情報受信手段と、前記受信した識別情報の移動店舗端末を搭載した移動店舗が開店していることを表す開店表示情報を、ウェブサイト上の地図の前記受信した現在位置において表示する開店表示手段と、を具備したことを特徴とするサーバを提供する。
請求項９に記載の発明では、所定の端末から前記受信した現在位置の補正位置を受信する補正位置受信手段と、前記受信した補正位置を用いて、前記開店表示情報を表示した位置を補正する補正手段と、を具備したことを特徴とする請求項８に記載のサーバを提供する。
請求項１０に記載の発明では、前記移動店舗端末から、当該移動店舗端末の識別情報を含む閉店情報を受信する閉店情報受信手段と、前記受信した識別情報の移動店舗端末を搭載した移動店舗の開店表示情報を前記ウェブサイト上の地図で非表示にする非表示手段と、を具備したことを特徴とする請求項８、又は請求項９に記載のサーバを提供する。
請求項１１に記載の発明では、請求項６、又は７に記載の移動手段を備えた移動店舗に搭載される移動店舗端末から所定の地域への進入の通知を受信する所定のサーバであって、電子メールアドレスと、地域と、を関連づけて記憶した電子メールアドレス記憶手段と、前記移動店舗端末から、前記移動店舗が進入した地域の通知を受信する進入通知受信手段と、前記進入通知受信手段で通知を受信した場合に、当該通知された地域に前記関連づけられている電子メールアドレスに宛てて所定の電子メール本文を送信する電子メール送信手段と、を具備したことを特徴とするサーバを提供する。
請求項１２に記載の発明では、移動手段を備えた移動店舗に搭載される移動店舗端末が行う情報処理方法であって、前記移動店舗端末は、自己の識別情報を記憶した識別情報記憶手段と、現在位置計測手段と、店舗状態取得手段と、開店情報送信手段と、を備え、前記現在位置計測手段で、現在位置を計測する現在位置計測ステップと、前記店舗状態取得手段で、前記移動店舗が開店しているか否かの店舗状態を取得する店舗状態取得ステップと、前記店舗状態取得ステップで取得された店舗状態が開店状態である場合に、前記開店情報送信手段で、前記記憶した識別情報と、前記計測した現在位置と、を含む開店情報を所定のサーバに送信する開店情報送信ステップと、から構成されたことを特徴とする情報処理方法を提供する。
請求項１３に記載の発明では、請求項１から請求項７の何れか１の請求項に記載の移動店舗端末から開店情報を受信する所定のサーバが行う情報処理方法であって、前記所定のサーバは、開店情報受信手段と、開店表示手段と、を備え、前記開店情報受信手段によって、移動手段を備えた移動店舗に搭載される移動店舗端末から、当該移動店舗端末の識別情報と現在位置を含む開店情報を受信する開店情報受信ステップと、前記開店表示手段によって、前記受信した識別情報の移動店舗端末を搭載した移動店舗が開店していることを表す開店表示情報を、ウェブサイト上の地図の前記受信した現在位置において表示する開店表示ステップと、から構成されたことを特徴とする情報処理方法を提供する。
請求項１４に記載の発明では、請求項６、又は７に記載の移動手段を備えた移動店舗に搭載される移動店舗端末から所定の地域への進入の通知を受信する所定のサーバが行う情報処理方法であって、前記所定のサーバは、電子メールアドレスと、地域と、を関連づけて記憶した電子メールアドレス記憶手段と、進入通知受信手段と、電子メール送信手段と、を備え、前記進入通知受信手段によって、前記移動店舗端末から、前記移動店舗が進入した地域の通知を受信する進入通知受信ステップと、前記電子メール送信手段によって、前記進入通知受信手段で通知を受信した場合に、当該通知された地域に前記関連づけられている電子メールアドレスに宛てて所定の電子メール本文を送信する電子メール送信ステップと、から構成されたことを特徴とする情報処理方法を提供する。
【発明の効果】
【０００６】
本発明によれば、移動店舗から現在位置や店舗状態などを受信してウェブサイト上に表示するため、顧客は移動店舗の営業地点などを容易に知ることができる。
【発明を実施するための最良の形態】
【０００７】
（１）実施の形態の概要
移動店舗６（図１）は、移動店舗端末３を搭載しており、移動店舗端末３は、ＧＰＳ衛星４からのＧＰＳ信号により現在位置を取得することができる。
移動店舗端末３は、移動店舗６の営業用扉の開閉や移動店舗６の加速度を検出するセンサを備えており、これらのセンサの検出値によって、移動店舗端末３の店舗状態（開店、閉店）を判断する。
移動店舗端末３は、営業扉が開状態であり、かつ、移動店舗６の停止を検出した場合、移動店舗６が開店していると判断し、現在位置と開店した旨をアプリケーションサーバ２０２に通知する。
そして、アプリケーションサーバ２０２は、ウェブサイト上の地図で移動店舗６の現在位置上に、移動店舗６が営業していることをアイコンにて表示する。
また、ウェブサイトでは、移動店舗６の管理者が登録した詳細な店舗情報（店舗名、商品、価格帯など）をアイコンに連動させて表示される。
これによって、顧客は、移動店舗６の現在の営業地点や営業内容を知ることができる。
【０００８】
（２）実施の形態の詳細
図１は、本実施の形態に係る移動店舗表示システム１のネットワーク構成の一例を示した図である。
移動店舗表示システム１では、顧客端末２、移動店舗端末３、キャリアシステム１００、サービス会社システム２００、ＧＰＳ（Ｇｌｏｂａｌ  Ｐｏｓｉｔｉｏｎｉｎｇ  Ｓｙｓｔｅｍｓ）衛星４、管理者端末５、インターネット３００などが通信ネットワークによって接続可能に配設されている。
【０００９】
顧客端末２は、移動店舗６の顧客が使用する携帯電話やパーソナルコンピュータなどの端末装置であり、インターネット３００を介してサービス会社システム２００に接続し、アプリケーションサーバ２０２の移動店舗サイトにアクセスすることができる。
なお、顧客端末２は、携帯電話などの携帯端末で構成することも可能であり、この場合、顧客端末２は、基地局１０１を経由してアプリケーションサーバ２０２にアクセスする。
顧客は、顧客端末２から移動店舗サイトの顧客画面にアクセスし、移動店舗６の現在の営業地点や営業内容を閲覧することができるほか、アプリケーションサーバ２０２からの電子メールを受信したり、移動店舗６に対するオーダ（注文情報）をアプリケーションサーバ２０２に送信したりすることができる。
なお、図１では、顧客端末２を１台のみ示しているが、これは顧客に対応して複数存在する。
【００１０】
移動店舗６は、例えば、車両で構成された小売店であり、販売地点を任意に移動することができる。
移動店舗６が対応する業種は、例えば、ハンバーガー、ホットドック、弁当などのファーストフードの販売や、魚貝類、肉類、などの生鮮食料品の販売や、金物や台所用品などの雑貨の販売や、書籍や音声や映像を記録した記録媒体の貸し出しや、あるいは、清掃、刃物研ぎなどの役務の提供など、多岐に渡る。
移動店舗６には、商品の販売や役務の提供を担当する担当者が同乗しており、移動店舗６と共に移動する。
【００１１】
移動店舗端末３は、移動店舗６に搭載された端末装置であって、ＧＰＳ衛星４からのＧＰＳ信号を用いて現在位置を計測する機能や、キャリアシステム１００を介してアプリケーションサーバ２０２と通信する機能を有する。
なお、ＧＰＳ信号の受信が良好でない場合、移動店舗端末３は、複数の基地局１０１から受信する電波の強度により現在位置を推定することができる。
移動店舗端末３は、アプリケーションサーバ２０２に対して、移動店舗６の店舗状態（開店して営業しているか、あるいは移動や休業などによって閉店しているか）、ＧＰＳ信号を用いて得た位置情報、在庫状況などを送信し、一方、アプリケーションサーバ２０２から、顧客端末２によりなされたオーダなどを受信することができる。
【００１２】
管理者端末５は、移動店舗６の管理者が使用する端末装置であり、パケットネットワーク１０９を介してアプリケーションサーバ２０２の移動店舗サイトにアクセス可能な携帯電話、パーソナルコンピュータなどの端末装置で構成されている。図では、一例として、管理者端末５を携帯電話で示している。
管理者は、管理者端末５から移動店舗サイトの管理者画面にアクセスし、移動店舗６の現在位置を補正したり、顧客画面で表示する店舗情報や顧客に送信する電子メール本文などを作成・編集することができる。
【００１３】
例えば、移動店舗６が個人経営の場合、管理者は担当者を兼ねて移動店舗６に搭乗し、移動先から携帯電話で移動店舗サイトにアクセスして現在位置を修正したりすることができる。その場合、移動店舗端末３と管理者端末５とを一体にしてもよい。
また、移動店舗６が複数台存在し、これを本部に設置したパーソナルコンピュータの管理者端末５から統括管理することもできる。
【００１４】
ＧＰＳ衛星４は、正確な時計を搭載した人工衛星であり、地球を周回しながら時刻を移動店舗端末３、基地局１０１、その他の受信者に送信する。
図１では、ＧＰＳ衛星４を１台のみ示しているが、これは複数台存在し、これらのＧＰＳ衛星４が送信する時刻を地上で解析することにより、移動店舗端末３は、現在位置を得ることができる。
【００１５】
キャリアシステム１００は、例えば、電話会社などのキャリアが運営するシステムであり、移動店舗端末３とアプリケーションサーバ２０２の通信、顧客端末２とアプリケーションサーバ２０２の通信、及び管理者端末５とアプリケーションサーバ２０２の通信の仲介、及びＧＰＳ衛星４を使った現在位置測定の補助を行う。
【００１６】
キャリアシステム１００は、基地局１０１、データ通信変換装置１０２、基地局制御局１０３、交換機１０４、認証サーバ１０５、ＧＰＳサーバ１０６、基地局データベース１０７、ＳＭＳ配信サーバ１０８、パケットネットワーク１０９などから構成されている。
基地局１０１は、携帯電話網の末端にあたる装置であって、移動店舗端末３や管理者端末５と無線によって直接交信をする。
基地局制御局１０３は、基地局１０１やその他の図示しない基地局とデータ通信変換装置１０２を接続する装置である。
データ通信変換装置１０２は、データ通信間の接続を切り替える装置であって、基地局制御局１０３とパケットネットワーク１０９を接続する。
【００１７】
交換機１０４は、回線間の接続を切り替える装置である。交換機１０４は、図示しない音声回線ネットワークと基地局制御局１０３を接続したりなどする。
パケットネットワーク１０９は、データ通信用のネットワークであり、電子メールやその他のデジタルデータを伝達することができる。また、パケットネットワーク１０９は、インターネットと接続したり、あるいはインターネットでパケットネットワーク１０９を構成したりすることもできる。
認証サーバ１０５は、接続の正統性を確認するサーバ装置であって、パケットネットワーク１０９からＧＰＳサーバ１０６にアクセスする者（本実施の形態では管理者）の認証を行う。
【００１８】
ＧＰＳサーバ１０６は、移動店舗端末３が現在位置を取得するのを支援するサーバであって、移動店舗端末３がＧＰＳ信号を用いて得た測位データから移動店舗端末３の現在位置を計算し、測位計算結果である位置情報（現在位置の緯度経度など）を移動店舗端末３に送信する。
このように、移動店舗端末３は、ＧＰＳ衛星４とＧＰＳサーバ１０６の支援を受けて位置情報を得ることができる。
【００１９】
基地局データベース１０７は、基地局情報を管理するデータベースであり、基地局制御局１０３が基地局を制御する際に使用する。
ＳＭＳ配信サーバ１０８は、ショートメッセージを配信するサーバである。なお、ＳＭＳはＳｈｏｒｔ  Ｍｅｓｓａｇｅ  Ｓｅｒｖｉｃｅを意味する。
ショートメッセージとは、電話機などの端末に送信できる情報（例えば、文字情報）であり、電話番号により送信先の端末を指定することができる。
本実施の形態では、ショートメッセージを用いて移動店舗端末３に顧客からの注文を伝達したりなどすることができる。
【００２０】
サービス会社システム２００は、移動店舗６の情報を顧客端末２に提供するシステムであり、認証サーバ２０１、アプリケーションサーバ２０２、及びＳＭＳ配信要求サーバ２０３などから構成されている。
認証サーバ２０１は、アプリケーションサーバ２０２にアクセスする管理者などを登録しており、管理者が移動店舗サイトの管理者画面にアクセスする際に管理者ＩＤ、パスワードなどにより認証を行う。
また、顧客を登録制とし、顧客が移動店舗サイトの顧客画面にアクセスする際に認証サーバ２０１が顧客を認証するように構成することもできる。
【００２１】
アプリケーションサーバ２０２は、移動店舗サイトを用いた顧客サービス全般を管理しており、ウェブサーバ機能、データベースサーバ機能、メールサーバ機能を備えている。
なお、図１では、簡略化のため、アプリケーションサーバ２０２がこれら各機能を備えているものとするが、これに限定するものではなく、ウェブサーバ、データベースサーバ、メールサーバなどの複数のサーバ装置を組み合わせて構成してもよい。
【００２２】
ウェブサーバ機能は、移動店舗６のウェブサイトである移動店舗サイトを運営するほか、顧客端末２、移動店舗端末３や管理者端末５と通信する機能を提供する。
端末（顧客端末２、管理者端末５など）から移動店舗サイトのＵＲＬ（Ｕｎｉｆｏｒｍ  Ｒｅｓｏｕｒｃｅ  Ｌｏｃａｔｏｒｓ）を入力すると、移動店舗サイトのトップ画面に接続するようになっており、顧客はこのトップ画面からメニューを選択するなどして顧客用の画面に接続する。
また、トップ画面には、「管理者入口」などと表記された管理者ＩＤとパスワードを入力する入力欄が設けられており、管理者は、当該入力欄に管理者ＩＤとパスワードを入力して認証サーバ２０１に認証を受けた後、管理者用の画面に接続する。
【００２３】
データベースサーバ機能は、移動店舗６の現在位置、店舗状態、店舗情報、顧客の電子メールアドレス、送信する電子メールの電子メール本文などを記憶したデータベースを管理する機能を提供する。
本実施の形態では、これらの情報を記憶した各種テーブルを関連づけてデータベースを構成している。
メールサーバ機能は、顧客端末２に電子メールを送信する機能を提供する。
【００２４】
ＳＭＳ配信要求サーバ２０３は、ＳＭＳ配信サーバ１０８に対してショートメッセージの送信を要求するサーバである。
移動店舗端末３は、キャリアシステム１００が提供する携帯電話回線を利用するため、アプリケーションサーバ２０２から移動店舗端末３にアクセスする場合はショートメッセージにて行う。
例えば、ＳＭＳ配信要求サーバ２０３は、アプリケーションサーバ２０２から、顧客からのオーダを移動店舗端末３に伝達するように指令を受けると、この注文内容を伝えるためのショートメッセージを作成し、これを移動店舗端末３に宛てて送信するようにＳＭＳ配信サーバ１０８に依頼する。
【００２５】
次に、移動店舗表示システム１において、情報や信号が伝達される経路について説明する。以下では、伝達経路を矢線印にて示す。
まず、移動店舗端末３からアプリケーションサーバ２０２への通信は、次の経路１を経由する。
（経路１）「移動店舗端末３→基地局１０１→基地局制御局１０３→データ通信変換装置１０２→パケットネットワーク１０９→認証サーバ２０１→アプリケーションサーバ２０２」。
一方、アプリケーションサーバ２０２から移動店舗端末３への通信は、次の経路２を経由する。
（経路２）「アプリケーションサーバ２０２→ＳＭＳ配信要求サーバ２０３→ＳＭＳ配信サーバ１０８→交換機１０４→基地局制御局１０３→基地局１０１→移動店舗端末３」。
【００２６】
また、顧客端末２からアプリケーションサーバ２０２へのアクセスは、次の経路３を経由して行われる。
（経路３）「顧客端末２→インターネット３００→認証サーバ２０１→アプリケーションサーバ２０２」。
アプリケーションサーバ２０２から顧客端末２への移動店舗サイトの画面データの送信は、経路３と逆の経路によって行われる。
また、管理者端末５からアプリケーションサーバ２０２へのアクセスは、次の経路４を経由して行われる。
（経路４）「管理者端末５→基地局１０１→基地局制御局１０３→データ通信変換装置１０２→パケットネットワーク１０９→認証サーバ２０１→アプリケーションサーバ２０２」。
アプリケーションサーバ２０２から管理者端末５への移動店舗サイトの画面データの送信は、経路４と逆の経路によって行われる。
【００２７】
図２は、移動店舗端末３のハードウェア的な構成の一例を示した図である。
移動店舗端末３は、キャリア通信部２１、ＧＰＳ通信部２２、制御部２３、加速度センサ２０、ボタン・スイッチ２４、プリンタ２９、タイマ２５、メモリ部２６、表示部２７、ドアセンサ２８などから構成されている。
キャリア通信部２１は、制御部２３と基地局１０１が通信する際の無線通信を行う。
ＧＰＳ通信部２２は、ＧＰＳ衛星４からＧＰＳ信号を受信し、制御部２３に入力する。
【００２８】
加速度センサ２０は、移動店舗６の加速度を検出するセンサである。移動店舗６の店舗状態が開店の場合（即ち営業中の場合）、移動店舗６は停止しているため、加速度センサ２０で加速度は検出されない。そのため、制御部２３は、加速度センサ２０で加速度が検出されないことを、移動店舗６の開店を判断するための情報の１つとして用いることができる。
タイマ２５は、例えば、移動店舗端末３が予め設定された時刻に予め設定された動作を行う場合に（例えば、定時に現在位置をアプリケーションサーバ２０２に送信するなど）時刻の計測を行う。
ボタン・スイッチ２４は、例えば、在庫状態を入力したりなど、担当者が移動店舗端末３を操作するためのボタン・スイッチ類である。
【００２９】
メモリ部２６は、例えば、ハードディスク、半導体記憶装置などで構成された読み書き可能な記憶装置である。
メモリ部２６には、制御部２３が移動店舗端末３を動作させるためのプログラムや、移動店舗端末３の識別情報であるＧＰＳ識別コード（識別情報記憶手段）、商品の在庫数、アプリケーションサーバ２０２から受信した顧客からのオーダなどのデータが記憶されている。
表示部２７は、例えば、ボタンを所定の色にて点灯させるなどして、移動店舗端末３の担当者に情報を提示する装置である。また、表示部２７に液晶などによるディスプレイを備え、文字や図形を担当者に提示することも可能である。
【００３０】
ドアセンサ２８は、移動店舗端末３の営業用扉、例えば移動店舗６の車両後部や、側面に設けられた販売用の扉の開閉状態を検出するセンサである。
移動店舗６の営業用扉は、店舗状態が開店の場合は開かれ、閉店の場合は閉じられるため、移動店舗端末３は、ドアセンサ２８で検知される営業用扉の開閉状態を移動店舗６の店舗状態を判断するのに用いる。
プリンタ２９は、例えば、ドット印字機構、インクジェット印字機構などの印字機構を備え、これを用いてセットされたロール状の印字用紙などにオーダなどを印字（印刷）する印字装置である。
【００３１】
制御部２３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、クロックなどを備えたコンピュータであり、ＲＯＭやメモリ部２６に記憶されているプログラムに従って移動店舗端末３全体の制御を行うと共に、ＧＰＳ信号から現在位置を計測したり（現在位置計測手段）、加速度センサ２０やドアセンサ２８の信号により店舗状態を判断したり（店舗状態取得手段）、アプリケーションサーバ２０２へ現在位置や店舗状態を送信するなど、各種の情報処理機能を発揮する。
【００３２】
図３は、移動店舗端末３の正面に形成された操作盤を説明するための図である。
なお、ドアセンサ２８は、営業用扉に設置されており、ケーブルによって移動店舗端末３に接続されている。また、加速度センサ２０は、移動店舗端末３の内部に設置されているため図示されていない。
自動動作ボタン５９は、移動店舗端末３の自動モードと手動モードを切り替えるボタンであり、担当者が押下する毎に自動モードと手動モードが切り替わる。自動動作ボタン５９は、自動モードの場合点灯し、手動モードの場合は消灯するようになっている。
移動店舗端末３は、自動モードでは、移動店舗６の店舗状態を自動で検知し、手動モードでは担当者が移動店舗６の店舗状態を手動で入力するようになっている。
【００３３】
営業中ボタン５７は、店舗状態が開店の場合（即ち、移動店舗６が営業中の場合）点灯し、担当者に移動店舗端末３が検知している店舗状態が開店であることを通知する。
また、手動モードにおいては、担当者が営業中ボタン５７を押下すると移動店舗端末３の店舗状態が開店に設定される。
【００３４】
営業終了ボタン５８は、店舗状態が閉店の場合（即ち、移動店舗６が営業していない場合）点灯し、担当者に移動店舗端末３の店舗状態が閉店であることを通知する。
また、手動モードにおいては、担当者が営業終了ボタン５８を押下すると移動店舗端末３の店舗状態が閉店に設定される。
【００３５】
商品在庫ボタン６６は、商品在庫を手動で管理するボタンである。本実施の形態では、１０種類の商品に対応する１０個のボタンを設置した。
商品在庫ボタン６６は、該当する商品在庫ボタンを押下すると、「在庫十分」、「在庫少ない」、「在庫なし」の３つの状態が順次切り替わるリング動作を行う。
商品在庫ボタン６６は、「在庫十分」の場合は緑色、「在庫少ない」の場合は赤色、「在庫なし」の場合は消灯するなど、表示色を変化させることにより何れの状態に設定されているかを担当者に通知する。又は、表示色ではなく「○△×」などの記号がボタン上面やボタン近傍に表示されるように構成してもよい。
【００３６】
担当者は、商品を販売しながら商品の在庫状況を確認し、商品在庫ボタン６６のボタンを押下して商品毎の在庫状況を更新していく。
商品在庫ボタン６６の状態は、担当者が商品在庫登録位置送信ボタン６５を押下するとアプリケーションサーバ２０２に送信される。
【００３７】
アプリケーションサーバ２０２は、例えば、商品在庫ボタン６６の１番のボタンはメロンパン、２番のボタンはクリームパンなどと、商品とボタンの対応を記憶しており、移動店舗端末３から送信されてきた在庫状況を移動店舗サイトの顧客画面に「メロンパン−在庫十分、クリームパン−在庫少ない」などと、移動店舗６の在庫状況を表示することができる。
なお、移動店舗６にＰＯＳ（Ｐｏｉｎｔ  Ｏｆ  Ｓａｌｅｓ  ｓｙｓｔｅｍ）端末を設置して、管理者端末５を連動させることにより、在庫管理を自動化し、正確な在庫状況をアプリケーションサーバ２０２に自動的に送信することも可能である。
【００３８】
また、商品在庫ボタン６６は、次のように商品在庫数を計数するカウンタとして使用する形態も可能である。
この場合、担当者は、例えば、１番のボタンをメロンパンとして初期在庫が３０個、２番のボタンをクリームパンとして初期在庫が４０個など、ボタンと商品及び商品数を対応させて移動店舗端末３に記憶させる。
【００３９】
担当者は、商品が売れるたびに売れた個数回数だけ対応するボタンを押下していく。移動店舗端末３は、初期在庫数から押下された回数だけカウントダウンし、在庫が所定個数以上の場合は緑色、所定個数未満の場合は赤色、在庫０の場合は消灯などと、表示状態を３段階に変化させる（又は○△×などの記号や、在庫数の数字を表示してカウントダウンさせて、表示してもよい）。そして、担当者が商品在庫登録位置送信ボタン６５を押下すると、移動店舗端末３は現在の在庫数をアプリケーションサーバ２０２に送信する。
【００４０】
登録位置ボタン６７は、移動店舗６の位置をアプリケーションサーバ２０２に手動で通知する場合に使用するボタンである。
これは、１番のボタンは「○○町○番地○号」や、緯度・経度など、予めボタンと所定の位置を対応させたテーブルをアプリケーションサーバ２０２に記憶させておき、担当者が予め登録しておいた所定位置に到着した際に、登録位置ボタン６７の各ボタンを押下して現在位置を選択・通知するものである。
【００４１】
選択したボタンの番号は担当者が商品在庫登録位置送信ボタン６５を押下するとアプリケーションサーバ２０２に送信され、これによって移動店舗６の現在位置がアプリケーションサーバ２０２に手動にて通知される。
これは、ＧＰＳ信号の受信状態の不良などにより測位誤差が大きい場合に使用すると有効である。
【００４２】
商品在庫登録位置送信ボタン６５は、上に説明したように、商品在庫ボタン６６で設定されている現在の商品在庫の状態や、登録位置ボタン６７で選択されているボタンをアプリケーションサーバ２０２に通知するためのボタンである。
商品在庫ボタン６６や登録位置ボタン６７の状態を、１回の商品在庫登録位置送信ボタン６５の押下でアプリケーションサーバ２０２に送信することも可能である。
【００４３】
オーダ印字ボタン６０は、アプリケーションサーバ２０２から送信されて、メモリ部２６（図２）に記憶していたオーダのうちの未処理のものをプリンタ２９に印字させるためのボタンである。
オーダ件数ボタン６１は、アプリケーションサーバ２０２から受信したオーダのうち未処理のものの件数を表示すると共に、オーダ処理をアプリケーションサーバ２０２に通知するためのボタンとしての機能を有している。
【００４４】
担当者は、オーダ件数ボタン６１を処理したオーダの個数回押下し、その後商品在庫登録位置送信ボタン６５を押下することにより、処理した個数をアプリケーションサーバ２０２に通知することができる。
また、移動店舗端末３は、オーダ件数ボタン６１が押下される毎に、メモリ部２６に記憶されているオーダを古いものから消去していく。
【００４５】
プリンタ２９は、オーダ印字ボタン６０の押下によりオーダを印字するほか、移動店舗端末３がアプリケーションサーバ２０２からオーダを受信した場合にオーダを印字したり、あるいは、アプリケーションサーバ２０２からの印字指令によって印字することができる。
なお、アプリケーションサーバ２０２は、印字内容をパラメータとする印字コマンドをショートメッセージにて移動店舗端末３に送信し、印字内容をプリンタ２９に印刷させることができる。
【００４６】
設定情報印字ボタン６３は、例えば、移動店舗端末３のＧＰＳ識別コードや電話番号など、移動店舗端末３やアプリケーションサーバ２０２に設定されている情報をプリンタ２９に印字させるボタンである。
お店情報印字ボタン６４は、移動店舗６の名称、電話番号、メニュー、オーダ方法、営業場所などをプリンタ２９に印字させるボタンである。印字の際に、移動店舗サイトのＵＲＬを含んだＱＲコードなども印字することができる。印字されたお店情報は、来店した顧客に配布され、移動店舗の宣伝、案内などに利用される。
【００４７】
測位誤差表示部６９は、測位の誤差レベルを表示する表示部である。測位誤差表示部６９は、１番〜５番の５個の点灯部を備えており、誤差レベルを５段階表示する。
誤差が最も小さい場合は、５番まで全ての点灯部が点灯し、誤差レベルが大きくなるにつれて５番側から点灯部が消灯する。最も誤差レベルが大きい場合は１番の点灯部のみ点灯する。
【００４８】
なお、移動店舗端末３は、高層建築物に囲まれるなどしてＧＰＳ信号の受信状態が悪い場合は、複数（例えば３つ）の基地局１０１からの電波の強度によって現在位置を推定する機能を備えている。
移動店舗端末３は、ＧＰＳ信号の状態、及び基地局１０１の電波状態などを用いて測位誤差のレベルを推定することができる。
担当者は、測位誤差表示部６９の表示、又は印字により、移動店舗サイトの顧客画面で移動店舗６の現在位置がどの程度正確に表示されているかを判断することができる。
【００４９】
メール送信ボタン６８は、アプリケーションサーバ２０２に対して、予め登録してある所定の顧客に電子メールを送信するように指令するためのボタンである。
メール送信ボタン６８が担当者によって押下されると、移動店舗端末３は、移動店舗６の位置情報をアプリケーションサーバ２０２に送信し、アプリケーションサーバ２０２は、移動店舗６の位置情報に対応するエリアの顧客に対して電子メールを送信する。
電源スイッチ５６は、移動店舗端末３の電源をオンオフするためのボタンである。
なお、図３の移動店舗端末３では、各操作ボタンは各々独立して設けたが、例えばタッチパネル型の表示パネルやソフトキーなどに集約することも可能である。
【００５０】
図４は、アプリケーションサーバ２０２のハードウェア的な構成の一例を示した図である。
アプリケーションサーバ２０２は、ＣＰＵ３１、ＲＯＭ３２、ＲＡＭ３５、通信制御部３３、記憶部３６などがバスラインで接続されて構成されている。
なお、管理者端末５や顧客端末２のハードウェア的な構成も基本的にアプリケーションサーバ２０２と同じである。
【００５１】
ＣＰＵ３１は、所定のプログラムに従って各種の情報処理を行う。本実施の形態では、ウェブサーバ機能、データベースサーバ機能、及びメールサーバ機能などとしての情報処理を行う。
ＲＯＭ３２は、読み出し専用のメモリであり、アプリケーションサーバ２０２を動作させるための基本的なプログラムやパラメータなどが記憶されている。
ＲＡＭ３５は、読み書き可能なメモリであって、ＣＰＵ３１のワーキングメモリを提供したり、記憶部３６に記憶されたプログラムやデータをロードして記憶したりなどする。
通信制御部３３は、顧客端末２、管理者端末５、移動店舗端末３などと、通信を行うための制御部である。
【００５２】
記憶部３６は、例えばハードディスクなどの大容量の記憶装置を用いて構成されており、各種プログラムを格納したプログラム格納部３８、データを格納したデータ格納部３９などが形成されている。
プログラム格納部３８には、アプリケーションサーバ２０２を機能させるための基本的なプログラムであるＯＳや、ウェブサーバ機能を発揮させるためのプログラム、データベースサーバ機能（図ではデータベースをＤＢと略記）を発揮させるためのプログラム、及びメールサーバ機能を発揮させるためのプログラムなどが格納されている。
【００５３】
データ格納部３９には、ＧＰＳ識別テーブル、メールアドレステーブル、店舗情報テーブルなどが格納されている。これらテーブルの管理はデータベースサーバ機能により行われる。
図５（ａ）は、ＧＰＳ識別テーブルの論理的な構成の一例を示した図である。
ＧＰＳ識別テーブルは、「ＧＰＳ識別コード」、「管理者ＩＤ」、「パスワード」、「位置情報」、その他の項目から構成されている。
【００５４】
「ＧＰＳ識別コード」は、移動店舗端末３に一意に付与されているＩＤであって、アプリケーションサーバ２０２は、ＧＰＳ識別コードにより移動店舗端末３を識別する。
また、ＧＰＳ識別コードは、店舗テーブル、アドレステーブル、その他のテーブルを関連づけるキーとして機能しており、ＧＰＳ識別テーブル、店舗テーブル、アドレステーブル、その他のテーブルは、ＧＰＳ識別コードをキーとするリレーショナルデータベースを構成している。
【００５５】
「管理者ＩＤ」は、管理者に付与されたＩＤ情報である。
「パスワード」は、管理者が移動店舗サイトの管理者画面にアクセスする場合に、管理者を認証するためのパスワードである。
「位置情報」は、移動店舗端末３から受信した位置情報を記憶したものである。移動店舗端末３から位置情報が送信されてくるたびに「位置情報」を更新する。
また、図示しないが、ＧＰＳ識別テーブルには、登録位置ボタン６７（図３）と対応づけられた「位置情報Ａ」、「位置情報Ｂ」、「位置情報Ｃ」・・・、が登録されており、登録位置ボタン６７で位置情報を設定する場合に用いられる。
【００５６】
また、ＧＰＳ識別テーブルには、管理者が移動先の位置情報を設定して記憶することもでき、移動店舗サイトにて移動先を表示するのに用いることができる。
ＧＰＳ識別テーブルは、管理者の認証処理、及び移動店舗サイトでの移動店舗６の位置や店舗状態を表示するのに用いられる。
【００５７】
図５（ｂ）は、店舗テーブルの論理的な構成の一例を示した図である。
店舗テーブルは、「ＧＰＳ識別コード」、「店舗名称」、「商品」、「価格帯」、「コメント」、「本日のメニュー」、その他の項目から構成されており、移動店舗６の店舗情報が登録されている。
「ＧＰＳ識別コード」は、移動店舗端末３のＧＰＳ識別コードであって、ＧＰＳ識別テーブルと店舗テーブルを関連づけている。
「店舗名称」は、例えば、「ハンバーガー屋さん」などの移動店舗６の名称である。
「商品」は、例えば、「ハンバーガー、フライドポテト」など、移動店舗６が扱う商品である。
【００５８】
「価格帯」は、例えば、「３００円〜８００円」など、移動店舗６が扱う商品の価格帯である。
「コメント」は、例えば、「焼きたてハンバーガーを提供しています。」などと、管理者が管理者画面から入力したコメントである。
「本日のメニュー」は、例えば、「チーズバーガの日。３０円引き」などと、本日の所謂目玉商品である。
「ＧＰＳ識別コード」を除いた以上の項目（即ち、店舗情報）は、管理者が管理者画面から作成・編集が可能であり、移動店舗サイトにて顧客に提示される。
【００５９】
図５（ｃ）は、アドレステーブルの論理的な構成の一例を示した図である。
アドレステーブルは、電子メールアドレス記憶手段として機能し、「ＧＰＳ識別コード」、「電子メールアドレスＡ」、「住所Ａ」、「電子メールアドレスＢ」、「住所Ｂ」、・・・、その他の項目から構成されている。
「ＧＰＳ識別コード」は、移動店舗端末３のＧＰＳ識別コードであって、ＧＰＳ識別テーブルと店舗テーブルを関連づけている。
「電子メールアドレスＡ」は、顧客が顧客画面から登録した顧客端末２の電子メールアドレスであり、「住所Ａ」は、当該顧客が顧客画面から入力した住所である。
この他、氏名、年齢、電話番号などの個人情報を登録できるように構成することもできる。
【００６０】
「電子メールアドレスＢ」、「住所Ｂ」は、他の顧客の電子メールアドレスと住所である。
このように、アプリケーションサーバ２０２は、顧客画面から顧客が電子メールアドレスと住所を登録するたびに、これをアドレステーブルに追加していく。
アドレステーブルは、電子メール本文に送信先を設定したり、また、顧客の住所を用いて電子メールの送信先を絞り込むのに用いられる。
また、図示しないが、データ格納部３９には、管理者が顧客に送信する電子メールの本文を設定した電子メール本文テーブル、移動店舗６での在庫状況を記憶した在庫テーブルなどがＧＰＳ識別コードと関連づけられて格納されている。
【００６１】
図６は、移動店舗サイトの顧客画面に表示された店舗情報の一例を示した図である。この店舗情報は、顧客端末２やその他の端末から閲覧することができる。
店舗情報では、地図上に移動店舗６が現在営業している地点がアイコン４１、４２などにより表示される。
また、移動先として予定されている地点には、現在営業している移動店舗６のアイコンと表示状態の異なるアイコン４３が表示される。
これらアイコンの表示位置、及び状態により、顧客は現在移動店舗６が営業している営業地点、及び次に移動する営業地点を知ることができる。
【００６２】
これらアイコンは、顧客端末２を操作することにより（例えば、マウス（顧客端末２が携帯電話の場合は操作ボタン）を操作して所望のアイコンをクリックすることにより）顧客が選択することができるようになっており、選択されたアイコンには、管理者が店舗テーブルに設定した店舗情報がポップアップして表示される。
図６では、アイコン４２が選択された場合を示しており、「店名：ホットホット、商品：ホットドック、ピザ、・・・」などと管理者が設定した内容が表示されている。
【００６３】
図７の各図は、管理者が管理者端末５から移動店舗６の位置補正を行う場合を説明するための図である。
移動店舗６はＧＰＳ衛星４などにより位置検出を行っているが、受信状態や、検出精度などによって、本来の位置より検出された位置がずれることがある。この場合、検出された移動店舗６の現在位置の補正をする必要がある。
図７（ａ）は、移動店舗サイトの管理者画面で表示された位置補正画面の一例を示している。
図に示した地図では、移動店舗６のアイコン４７が、移動店舗端末３から送信されてきた位置情報に基づいて表示されている。
この場合、実際に移動店舗６が停車している場所が場所４８であった場合、管理者は、アイコン４７の表示位置がずれていることを知ることができる。
【００６４】
これを修正するために、管理者画面において、水平方向の点線４５、及び垂直方向の点線４６の交点によって表示されるポインタをアイコン４７に合わせ、これを場所４８にドラッグ操作などして修正先の位置を指定することにより、図７（ｂ）に示したようにアイコン４７を場所４８に設定することができる。
アプリケーションサーバ２０２は、管理者端末５から管理者が指定した位置情報を受信し、ＧＰＳ識別テーブルに記憶した移動店舗６の位置情報を補正する。その後、顧客画面では補正された位置にアイコン４７が表示される。
【００６５】
以上のように構成された移動店舗表示システム１の各種動作についてフローチャートを用いて説明する。
図８は、管理者が管理者画面から移動店舗６の店舗情報を設定する手順を説明するためのフローチャートである。
まず、管理者は管理者端末５からアプリケーションサーバ２０２の移動店舗サイトにアクセスする（ステップ５）。
そして、管理者端末５は、移動店舗サイトのトップ画面表示において管理者により入力された管理者ＩＤとパスワードを受け付けて、これをアプリケーションサーバ２０２に送信する。
【００６６】
アプリケーションサーバ２０２は、管理者端末５から管理者ＩＤとパスワードが送信されてくると認証サーバ２０１と共に管理者を認証処理する（ステップ１０）。
この認証処理は、管理者が入力した管理者ＩＤとパスワードがＧＰＳ識別テーブル（図５（ａ））で記憶されている管理者ＩＤ、及びパスワードと一致することを確認することにより行われる。
【００６７】
認証が成功すると、認証に使用されたＧＰＳ識別テーブルより、移動店舗端末３のＧＰＳ識別コードが特定され、これによって移動店舗端末３が特定される。
更に、このＧＰＳ識別コードを店舗テーブル、アドレステーブル、その他のテーブルのＧＰＳ識別コードと照合することにより、アプリケーションサーバ２０２は、当該管理者が管理する店舗テーブル、アドレステーブル、その他のテーブルも特定する。
【００６８】
管理者が認証されると、アプリケーションサーバ２０２は、管理者端末５に対して管理者画面データを送信する（ステップ１５）。
管理者画面データは、管理者端末５のブラウザ機能に管理者画面を表示させるデータであって、管理者端末５は、このデータを用いて表示装置に管理者画面を表示する。
【００６９】
管理者画面では、例えば、店舗情報の編集や移動店舗６の位置補正など、管理者用の各種のメニューが表示され、管理者は所望のメニューを選択する。
ここでは、管理者は、店舗情報の編集を選択するものとする（ステップ２０）。
アプリケーションサーバ２０２は、管理者端末５から管理者が店舗情報の編集を選択した旨の通知を受け、管理者端末５に対して編集画面を表示するための編集画面データを送信する（ステップ２５）。
【００７０】
管理者端末５は、編集画面を表示し、それに従って管理者が編集画面から入力した店舗名称、商品、価格帯、コメント、本日のメニューなどの各項目から成る編集情報を受け付ける。そして、管理者端末５は、これら受け付けた編集情報をアプリケーションサーバ２０２に送信する（ステップ３０）。
アプリケーションサーバ２０２は、管理者端末５から編集情報を受信し、店舗テーブル（図５（ｂ））の対応する項目を編集情報に従って更新する（ステップ３５）。
【００７１】
図９は、管理者端末５から管理者が移動店舗６の位置を補正する手順を説明するためのフローチャートである。なお、図８と同じ処理には同じステップ番号を付す（以下、同様）。
まず、移動店舗６が営業地点に停車して開店すると、移動店舗端末３は、位置情報とＧＰＳ識別コードをアプリケーションサーバ２０２に送信する（ステップ４０）。
アプリケーションサーバ２０２は、移動店舗端末３から位置情報とＧＰＳ識別コードを受信し、当該ＧＰＳ識別コードで特定されるＧＰＳ識別テーブルに当該位置情報を格納する（ステップ４５）。
【００７２】
アプリケーションサーバ２０２は、この位置情報により移動店舗６のアイコンを移動店舗サイトの地図上に表示する。
表示位置が、現在位置とずれている場合、これを補正するために管理者端末５は、管理者の操作により移動店舗サイトにアクセスする（ステップ５）。
アプリケーションサーバ２０２は、このアクセスを受けて、認証サーバ２０１と共に当該管理者を認証した後（ステップ１０）、管理者画面データを管理者端末５に送信する（ステップ１５）。
【００７３】
管理者端末５は、アプリケーションサーバ２０２から管理者画面データを受信して表示装置に管理者画面を表示する。
ここでは、管理者端末５は、管理者の操作により、管理者画面のメニューから移動店舗６の位置補正の選択を受け付ける（ステップ６５）。
アプリケーションサーバ２０２は、管理者端末５から管理者が位置補正を選択した旨の通知を受信すると、位置補正画面データを管理者端末５に送信する（ステップ７０）。
【００７４】
管理者端末５は、アプリケーションサーバ２０２から位置補正画面データを受信し、表示装置に図７（ａ）に示したような位置補正画面を表示する。
管理者端末５は、管理者の操作により、図７（ｂ）に示したような補正位置の指定を行い、管理者端末５は、補正位置を含む補正位置情報をアプリケーションサーバ２０２に送信する（ステップ７５）。
アプリケーションサーバ２０２は、管理者端末５から補正位置情報を受信し（補正位置受信手段）、ＧＰＳ識別テーブルに記憶した移動店舗６の位置情報を補正して更新する（ステップ８０）。アプリケーションサーバ２０２は、アイコンの表示位置を補正後の位置に速やかに補正する（補正手段）。
【００７５】
図１０は、管理者が電子メール本文を登録する手順を説明するためのフローチャートである。
まず、管理者端末５は、管理者の操作により、アプリケーションサーバ２０２の移動店舗サイトにアクセスし（ステップ５）、認証を受けた後（ステップ１０）、アプリケーションサーバ２０２は、管理者端末５に管理者画面データを送信する（ステップ１５）。
【００７６】
管理者端末５は、アプリケーションサーバ２０２から管理者画面データを受信し、表示装置に管理者画面を表示する。
管理者端末５は、管理者が、管理者画面のメニューから電子メール本文作成を選択すると、電子メール本文作成が選択された旨の通知をアプリケーションサーバ２０２にする（ステップ１２０）。
アプリケーションサーバ２０２は、当該通知を受けると、電子メール本文作成画面データを管理者端末５に送信する（ステップ１２５）。
【００７７】
管理者端末５は、アプリケーションサーバ２０２から電子メール本文作成画面データを受信し、これを用いて表示装置に電子メール本文作成画面を表示する。
管理者により、電子メール本文作成画面から電子メール本文を入力・編集され、電子メール本文の入力が終了した後、管理者端末５は、電子メール本文をアプリケーションサーバ２０２に送信する（ステップ１３０）。
アプリケーションサーバ２０２は、管理者端末５から電子メール本文を受信し、これを電子メール本文テーブルに記憶して更新する（ステップ１３５）。
【００７８】
図１１は、顧客端末２により顧客がアプリケーションサーバ２０２に電子メールアドレスなどを登録する手順を説明するためのフローチャートである。
まず、顧客端末２は、顧客からの操作によりアプリケーションサーバ２０２の移動店舗サイトにアクセスする（ステップ１５０）。
【００７９】
アプリケーションサーバ２０２は、顧客からのアクセスを受けて、顧客端末２にトップ画面データを送信する（ステップ１５５）。
顧客端末２は、トップ画面データを受信し、表示装置にトップ画面を表示する。
トップ画面では、顧客が利用する各種のサービスを選択するメニューが表示され、顧客は所望のメニューを選択することができる。
【００８０】
ここでは、顧客は、メニューで電子メールアドレスの登録を選択し、顧客端末２は、この選択を受け付ける。そして、顧客端末２は、アプリケーションサーバ２０２に顧客が電子メールアドレスの登録を選択した旨を通知する（ステップ１６０）。
アプリケーションサーバ２０２は、顧客端末２から顧客が電子メールアドレスの登録を選択した旨の通知を受け、顧客端末２に電子メールアドレス登録画面データを送信する（ステップ１６５）。
顧客端末２は、アプリケーションサーバ２０２から電子メールアドレス登録画面データを受信し、これを用いて表示装置に電子メールアドレス登録画面を表示する。
顧客端末２は、電子メールアドレス登録画面を表示して、顧客から自己の電子メールアドレスや、住所などを入力させて、これらの情報をアプリケーションサーバ２０２に送信する（ステップ１７０）。
アプリケーションサーバ２０２は、顧客端末２から顧客の電子メールアドレスや住所などの情報を受信し、アドレステーブル（図５（ｃ））に登録する（ステップ１７５）。
【００８１】
図１２は、移動店舗端末３がアプリケーションサーバ２０２に自動モードにて営業中情報を送信する手順を説明するためのフローチャートである。
移動店舗端末３は、自動動作ボタン５９（図３）がオフになっている場合、担当者からの自動動作ボタン５９の押下を受け付ける。これによって、移動店舗端末３は、自動動作ボタン５９のオンを検出し（ステップ２００）、自動動作ボタン５９を点灯すると共に移動店舗端末３を自動モードに設定する。
【００８２】
自動モードに設定されると、移動店舗端末３は、加速度センサ２０やドアセンサ２８（図２）といった各センサなどの検出値から移動店舗６の開店を検知する（ステップ２０５）。
移動店舗端末３は、例えば、加速度センサ２０から移動店舗６の停止が検出され、かつ、ドアセンサ２８から営業用扉の開状態が検出された場合に移動店舗６の店舗状態を開店と判断する。
移動店舗端末３は、移動店舗６の店舗状態が開店となったと判断すると（即ち、店舗状態が閉店状態から開店状態に変化した際に）、ＧＰＳ衛星４からのＧＰＳ信号などを用いて現在の位置を測定すると共に（ステップ２１０）、営業中ボタン５７を点灯する。
【００８３】
次に、移動店舗端末３は、測位誤差を測位誤差表示部６９（図３）に表示した後（ステップ２１５）、測定した位置情報と自己のＧＰＳ識別コードを含む営業中情報（開店情報として機能）をアプリケーションサーバ２０２に送信する（開店情報送信手段）（ステップ２２０）。
アプリケーションサーバ２０２は、移動店舗端末３から営業中情報を受信すると（開店情報受信手段）（ステップ２２５）、営業中情報に含まれているＧＰＳ識別コードによって移動店舗端末３を識別し、当該移動店舗端末３のＧＰＳ識別テーブル（図５（ａ））の位置情報を、営業中情報に含まれる位置情報に更新する（ステップ２３０）。
【００８４】
そして、アプリケーションサーバ２０２は、移動店舗サイト上の地図において、当該位置情報の地点に当該移動店舗６のアイコンを表示する（開店表示手段）。
アプリケーションサーバ２０２は、位置情報を更新すると更新が終了した旨を伝える更新終了情報を移動店舗端末３に送信する（ステップ２３５）。
移動店舗端末３は、アプリケーションサーバ２０２から更新終了情報を受信し、アプリケーションサーバ２０２で位置情報が更新されたことを確認する（ステップ２４０）。
【００８５】
図１３は、移動店舗端末３がアプリケーションサーバ２０２に手動モードにて営業中情報を送信する手順を説明するためのフローチャートである。
まず、移動店舗端末３は、担当者により営業中ボタン５７（図３）の押下を受け付ける。すると、移動店舗端末３は、営業中ボタン５７のオンを検出して（ステップ２４５）移動店舗端末３を手動モードに設定すると共に、自動動作ボタン５９がオンになっている場合は、これをオフにする（ステップ２５０）。後の動作は、図１２のステップ１０以降と同様である。
【００８６】
図１４は、移動店舗端末３がアプリケーションサーバ２０２に自動モードにて営業終了情報を送信する手順を説明するためのフローチャートである。
まず、移動店舗端末３は、自動動作ボタン５９（図３）がオフである場合、担当者からの自動動作ボタン５９の押下を受け付ける。これによって、移動店舗端末３は、自動動作ボタン５９のオンを検出し（ステップ２６０）、自動動作ボタン５９を点灯すると共に移動店舗端末３を自動モードに設定する。
移動店舗端末３が既に自動モードで動作している場合は、このステップは必要ない。
【００８７】
移動店舗端末３は、自動モードに設定されると、加速度センサ２０（図２）やドアセンサ２８などの検出値から移動店舗６の閉店を検知する（ステップ２６５）。
移動店舗端末３は、例えば、加速度センサ２０から移動店舗６の走行動作が検出され、かつ、ドアセンサ２８から営業用扉の閉状態が検出された場合に移動店舗６の店舗状態を閉店と判断する。
移動店舗端末３は、移動店舗６の店舗状態が閉店となったと判断すると、アプリケーションサーバ２０２にＧＰＳ識別コードを含む営業終了情報（閉店情報として機能する）を送信する（ステップ２７０）。
【００８８】
アプリケーションサーバ２０２は、移動店舗端末３から営業終了情報を受信すると（閉店情報受信手段）（ステップ２７５）、これに含まれるＧＰＳ識別コードから移動店舗端末３を特定し、移動店舗端末３のＧＰＳ識別テーブルの位置情報を消去するなどしてデータを更新する（ステップ２８０）。
更に、アプリケーションサーバ２０２は、移動店舗サイト上の地図において、移動店舗６のアイコン全体を非表示にしたり、表示状態を変化させるなどして、営業中を表すアイコンを非表示に設定する（非表示手段）。
なお、位置情報を消去せずに、ＧＰＳ識別テーブルに移動店舗６の店舗状態を示すフラグを設定し、このフラグを開店、又は閉店に設定することにより移動店舗６の店舗状態をＧＰＳ識別テーブルに記録してもよい。
【００８９】
次に、アプリケーションサーバ２０２は、移動店舗６の店舗状態を閉店に設定した旨を伝える更新終了情報を移動店舗端末３に送信する（ステップ２８５）。
移動店舗端末３は、アプリケーションサーバ２０２から更新終了情報を受信し、データ更新が終了したことを確認する（ステップ２９０）。
【００９０】
図１５は、移動店舗端末３がアプリケーションサーバ２０２に手動モードにて営業終了を送信する手順を説明するためのフローチャートである。
まず、移動店舗端末３は、担当者による営業終了ボタン５８（図３）の押下を受け付ける。すると、移動店舗端末３は、営業終了ボタン５８のオンを検出して（ステップ３００）移動店舗端末３を手動モードに設定すると共に、自動動作ボタン５９がオンになっている場合は、これをオフに設定して消灯する（ステップ３０５）。後の動作は、図１４のステップ２７０以降と同様である。
【００９１】
図１６は、在庫をアプリケーションサーバ２０２に通知する手順を説明するためのフローチャートである。
移動店舗端末３は、担当者によって、顧客に対する商品販売の清算作業が行なわれた際に、当該商品に該当する商品在庫ボタン６６（図３）の押下を受け付けてオンし、「在庫十分」、「在庫少ない」、「在庫なし」の何れかの状態に設定される。
移動店舗端末３は、商品在庫ボタン６６のオンを検出し（ステップ３７０）、これによって清算された商品の在庫が何れの状態かを認識する。
【００９２】
そして、移動店舗端末３は、商品在庫登録位置送信ボタン６５が押下されると、当該商品の在庫情報をアプリケーションサーバ２０２に送信する（ステップ３７５）。
在庫情報には、移動店舗端末３のＧＰＳ識別コード、商品コード、在庫状態などの情報が含まれている。
アプリケーションサーバ２０２は、移動店舗端末３から在庫情報を受信し（ステップ３８０）、在庫テーブルのデータを更新する（ステップ３８５）。
在庫テーブルは、商品毎に、「在庫十分」、「在庫少ない」、「在庫なし」の３つの状態を記憶しており、この更新処理は、この状態を在庫情報に従って更新することにより行われる。
【００９３】
そして、アプリケーションサーバ２０２は、在庫テーブルのデータ更新を終了すると、その旨を伝える更新終了情報を移動店舗端末３に送信する（ステップ３９０）。
移動店舗端末３は、アプリケーションサーバ２０２から更新終了情報を受信して（ステップ３９５）処理を終了する。
【００９４】
次に在庫通知の変形例について説明する。この変形例は、移動店舗６にＰＯＳ端末を設定し、移動店舗端末３とＰＯＳ端末を連動させるものである。
ＰＯＳ端末は、キャッシュレジスタと連動しており、精算時に清算された商品の商品コード、個数、及び清算時刻などを含む清算情報を生成する。
一方、アプリケーションサーバ２０２は、在庫テーブルにて移動店舗６が積載している商品の個数を把握しており、ＰＯＳ端末の生成した清算情報で個数を更新することにより、正確な在庫管理を行う。
【００９５】
以下に、本変形例の場合の在庫通知方法を図１７のフローチャートを用いて説明する。
まず、担当者によりキャッシュレジスタを用いて清算処理が行なわれたＰＯＳ端末は、当該精算処理に関する清算情報を生成して移動店舗端末３に送信する（ステップ３３０）。
例えば、商品の容器には商品コードなどを含んだバーコードが印刷されており、これをＰＯＳ端末に付随したバーコードリーダを用いて読み込むなどすることにより、担当者の入力ミスや入力負荷を軽減することができる。
【００９６】
移動店舗端末３は、ＰＯＳ端末から清算情報を受信すると（ステップ３３５）、当該商品に該当する商品在庫ボタン６６を商品在庫に従って「在庫十分」、「在庫少ない」、「在庫なし」の何れかに設定・表示する（ステップ３４０）。
なお、本変形例の移動店舗端末３は、各商品の在庫を記憶しており、清算情報に従って在庫を更新していく。そして、更新後の在庫数に応じて商品在庫ボタン６６を自動設定・表示する。
【００９７】
移動店舗端末３は、商品在庫ボタン６６を設定した後、清算情報をアプリケーションサーバ２０２に送信する（ステップ３４５）。
アプリケーションサーバ２０２は、移動店舗端末３から清算情報を受信し（ステップ３５０）、これを用いて在庫テーブルのデータを更新する（ステップ３５５）。
そして、アプリケーションサーバ２０２は、在庫テーブルのデータ更新を終了すると、その旨を伝える更新終了情報を移動店舗端末３に送信する（ステップ３６０）。
移動店舗端末３は、アプリケーションサーバ２０２から更新終了情報を受信して（ステップ３６５）処理を終了する。
【００９８】
図１８は、担当者の手動により、移動店舗端末３がアプリケーションサーバ２０２に現在位置を通知する手順を説明するためのフローチャートである。
まず、移動店舗端末３は、担当者による、登録位置ボタン６７（図３）から現在位置に該当するボタンの押下を受け付ける。
これにより、移動店舗端末３は、登録位置ボタン６７のオンを検出する（ステップ４００）。
そして、移動店舗端末３は、商品在庫登録位置送信ボタン６５が押下されると、当該登録位置ボタンの番号を登録位置情報としてアプリケーションサーバ２０２に送信する（ステップ４０５）。
【００９９】
アプリケーションサーバ２０２は、移動店舗端末３から登録位置情報を受信し（ステップ４１０）、これを用いてＧＰＳ識別テーブルで予め登録されている位置情報を特定し、この位置情報が現在位置となるように位置情報のデータを更新する（ステップ４１５）。
そして、アプリケーションサーバ２０２は、位置情報の更新が終了した旨を通知する更新終了情報を移動店舗端末３に送信する（ステップ４２０）。
移動店舗端末３は、アプリケーションサーバ２０２から更新終了情報を受信して（ステップ４２５）、処理を終了する。
なお、登録位置ボタン６７ではなく、登録位置ボタンの番号ボタンに対応して位置情報を移動店舗端末３に記憶させ、これをアプリケーションサーバ２０２に送信するように構成することもできる。
【０１００】
図１９は、顧客端末２に電子メールを送信する手順を説明するためのフローチャートである。
移動店舗端末３は、移動店舗６が営業地点に到達して営業を開始する際に、担当者によるメール送信ボタン６８（図３）の押下を受け付ける。
これによって、移動店舗端末３は、メール送信ボタン６８のオンを検出すると（ステップ４４０）、アプリケーションサーバ２０２に、現在位置の位置情報と、電子メールの送信を指示する情報である電子メール送信情報を送信する（ステップ４４５）。
【０１０１】
アプリケーションサーバ２０２は、移動店舗端末３から位置情報と、電子メール送信情報を受信する（ステップ４５０）。
アプリケーションサーバ２０２は、位置情報と電子メール送信情報を受信すると、位置情報に対応するエリアを特定し、当該エリアに該当する住所の電子メールアドレスをアドレステーブル（図５（ｃ））から抽出する（ステップ４５５）。
位置情報とエリアの対応の設定は各種可能であるが、例えば、位置情報を中心として所定半径（例えば、５００メートル）以内の領域をエリアとしたり、あるいは、「移動店舗６の位置がＡ町の場合は、Ａ町、Ｂ町、Ｃ町をエリアとする」などと、移動店舗６が位置するエリアと、電子メールを送信するエリアを対応づけたりすることができる。
【０１０２】
アプリケーションサーバ２０２は、電子メールアドレスを抽出すると、電子メール本文テーブルに管理者が記憶した電子メール本文を内容とする電子メールを、当該抽出した電子メールアドレスに宛てて送信する（ステップ４６０）。
顧客端末２は、この電子メールを受信して（ステップ４６５）、  顧客はこれを閲覧する。これによって、顧客は、移動店舗６が営業を開始したことを知ることができる。
また、アプリケーションサーバ２０２は、電子メールを送信した後、電子メール送信が終了した旨を通知するための送信終了情報を移動店舗端末３に送信する（ステップ４７０）。
移動店舗端末３は、アプリケーションサーバ２０２から送信終了情報を受信し（ステップ４７５）、処理を終了する。
【０１０３】
次に、図２０の各フローチャートを用いて移動店舗端末３が各種情報を印字する手順について説明する。
図２０（ａ）のフローチャートに示したように、移動店舗端末３は、担当者によるオーダ印字ボタン６０（図３）の押下により、オーダ印字ボタン６０のオンを検出する（ステップ５００）。
すると、移動店舗端末３は、残っているオーダを確認してプリンタ２９で印字する（ステップ５０５）。
【０１０４】
また、図２０（ｂ）のフローチャートに示したように、移動店舗端末３は、担当者による設定情報印字ボタン６３の押下により、設定情報印字ボタン６３のオンを検出する（ステップ５１０）。
すると、移動店舗端末３は、自己の設定を確認してプリンタ２９で印字する（ステップ５１５）。
【０１０５】
更に、図２０（ｃ）のフローチャートに示したように、移動店舗端末３は、担当者によるお店情報印字ボタン６４の押下により、お店情報印字ボタン６４のオンを検出する（ステップ５２０）。
すると、移動店舗端末３は、移動店舗６の名称、電話番号、メニュー、オーダ方法、営業場所などのお店情報をプリンタ２９で印字する（ステップ５２５）。
【０１０６】
図２１は、顧客端末２により、顧客が移動店舗６にオーダする手順を説明するためのフローチャートである。
まず、顧客端末２は、顧客の操作によりアプリケーションサーバ２０２の移動店舗サイトにアクセスし、顧客メニューからオーダを選択する。すると、顧客端末２からアプリケーションサーバ２０２にオーダ要求情報が送信される（ステップ５５０）。
アプリケーションサーバ２０２は、顧客端末２からオーダ要求情報を受信すると、オーダ画面を表示するためのオーダ画面データを顧客端末２に送信する（ステップ５５５）。
【０１０７】
顧客端末２は、このオーダ画面データを受信し、これを用いて表示装置にオーダ画面を表示する（ステップ５６０）。
オーダ画面では、移動店舗６や、移動店舗６毎の商品の一覧が表示され、顧客が移動店舗６、購入する商品の個数を入力できるようになっているほか、顧客の氏名や連絡先の入力も受け付けるようになっている。
顧客端末２は、顧客がオーダ画面で所定の操作をしてオーダを確定すると、顧客が入力した情報が含まれるオーダ情報をアプリケーションサーバ２０２に送信する（ステップ５６５）。
【０１０８】
アプリケーションサーバ２０２は、顧客端末２からオーダ情報を受信すると、これを選択された移動店舗６のＧＰＳ識別コードと共にメモリ部２６に一時記憶するなどしてオーダ受付処理を行う（ステップ５７０）。
そして、アプリケーションサーバ２０２は、オーダを受け付けた旨を通知するためのオーダ受付情報を顧客端末２に送信する（ステップ５７５）。
顧客端末２は、アプリケーションサーバ２０２からオーダ受付情報を受信し（ステップ５８０）、これを表示装置に表示、記憶、または印字するなどして処理を終了する。
【０１０９】
次に、アプリケーションサーバ２０２は、受付したオーダ受付情報を移動店舗端末３に送信する（ステップ５８５）。
すると、移動店舗端末３は、オーダ情報を受信し（ステップ５９０）、このオーダ情報をプリンタ２９によって印字する（ステップ５９５）。
次に、担当者は、例えば、オーダされたホットドックを調理するなどしてオーダを処理する（ステップ６００）。このようにステップ６００は、移動店舗端末３ではなく、担当者が行う。
【０１１０】
担当者によりオーダ処理が行われると、担当者は、処理したオーダの個数と同じ回数だけオーダ件数ボタン６１を押下し、移動店舗端末３は、この押下を受け付ける。
これにより移動店舗端末３は、オーダ件数ボタン６１がオンされたことを検出して（ステップ６０５）、移動店舗端末３のＧＰＳ識別コードとオンされた回数をアプリケーションサーバ２０２に送信する。
そして、アプリケーションサーバ２０２は、移動店舗端末３からＧＰＳ識別コードと、担当者がオーダ件数ボタン６１を押下した回数を受信する。
【０１１１】
アプリケーションサーバ２０２は、これらの情報を受信すると、顧客端末２にオーダ完了情報を送信する（ステップ６０６）。
これにより、顧客端末２は、アプリケーションサーバ２０２からオーダ完了情報を受信する（ステップ６０７）。そして、顧客端末２は、例えば、「調理完了致しました。お持ちしております。」などと、オーダ完了情報によるメッセージを表示して、顧客にオーダが完了したことを通知する。
【０１１２】
また、アプリケーションサーバ２０２は、メモリ部２６に一時記憶したデータをオーダ処理済みに更新する（ステップ６１０）。
そして、アプリケーションサーバ２０２は、当該更新を行った旨を通知する更新終了情報を移動店舗端末３に送信する（ステップ６１５）。
移動店舗端末３は、アプリケーションサーバ２０２から更新終了情報を受信して（ステップ６２０）処理を終了する。
【０１１３】
次に、電子メール送信手順の変形例について説明する。
本変形例では、移動店舗６が所定のエリアに進入したことを移動店舗端末３が検知してアプリケーションサーバ２０２に通知し、アプリケーションサーバ２０２が当該エリアに対応する顧客に電子メールを送信するものである。
【０１１４】
本変形例の移動店舗端末３は、エリアを記憶しており、現在位置が当該エリア内にあるか否かを判断することにより、移動店舗６がエリアに進入したこと、及び移動店舗６がエリアから逸脱したことを検出することができる。
一方、アプリケーションサーバ２０２では、顧客の電子メールアドレスを移動店舗端末３のＧＰＳ識別コードと、移動店舗６が進入したエリアに対応づけて記憶しており、移動店舗端末３から移動店舗６が所定のエリアに進入した旨の通知を受けると、当該所定のエリアに対応づけられている電子メールアドレスに宛てて電子メールを送信する。
【０１１５】
以下に、図２２のフローチャートを用いて本変形例の電子メール送信手順について説明する。
まず、移動店舗端末３は、ＧＰＳ衛星４からのＧＰＳ信号により移動店舗６の移動に伴う現在位置を監視している。
そして、移動店舗端末３は、移動店舗６の現在位置がエリア外にあるかあるいはエリア内にあるかを所定間隔で判断し、当該判断がエリア外からエリア内に変化したことを検知することにより、移動店舗６がエリア内に進入したことを検出する（進入検出手段）（ステップ６５０）。
【０１１６】
各エリアにはエリアコードが付与してあり、移動店舗端末３は、移動店舗６がエリアに進入したことを検出すると、当該エリアのエリアコードとＧＰＳ識別コードを含み、当該エリアに進入した旨を通知するエリア進入情報をアプリケーションサーバ２０２に送信する（進入通知手段）（ステップ６５５）。
そして、アプリケーションサーバ２０２は、移動店舗端末３からエリア進入情報を受信する（進入通知受信手段）（ステップ６６０）。
アプリケーションサーバ２０２は、受信したエリア進入情報に含まれるＧＰＳ識別コードから移動店舗６を特定し、また、エリアコードからエリアを特定する。
そして、アプリケーションサーバ２０２は、移動店舗６が当該エリアに進入した旨を通知する電子メールを、当該エリアに対応づけられた電子メールアドレスに宛てて送信する（電子メール送信手段）（ステップ６６５）。
【０１１７】
顧客端末２は、アプリケーションサーバ２０２から電子メールを受信し（ステップ６７０）、これを表示装置などに表示する。
これによって顧客は、移動店舗６がエリアに進入した通知を受けることができる。
アプリケーションサーバ２０２は、移動店舗６がいるエリアをＧＰＳ識別テーブル（図５）に記憶するようになっており、このデータを更新することにより（ステップ６７５）、移動店舗６が現在当該エリアにいることを記憶する。
【０１１８】
そして、移動店舗６が当該エリアで営業を終了して移動すると、移動店舗端末３は、現在位置が当該エリア内からエリア外に変化したことを検知することにより、移動店舗６がエリアを逸脱したことを検出する（逸脱検出手段）（ステップ６８０）。
【０１１９】
移動店舗端末３は、移動店舗６がエリアから逸脱したことを検出すると、当該エリアのエリアコードとＧＰＳ識別コードを含み、当該エリアから逸脱した旨を通知するエリア逸脱情報をアプリケーションサーバ２０２に送信する（逸脱通知手段）（ステップ６８５）。
そして、アプリケーションサーバ２０２は、移動店舗端末３からエリア逸脱情報を受信する（ステップ６９０）。
アプリケーションサーバ２０２は、受信したエリア逸脱情報に含まれるＧＰＳ識別コードから移動店舗６を特定し、また、エリアコードからエリアを特定する。なお、エリアの特定は、エリア進入時におけるＧＰＳ識別テーブルの記憶から判断してもよい。
そして、アプリケーションサーバ２０２は、移動店舗６が当該エリアから逸脱した旨を通知する電子メールを当該エリアに対応づけられた電子メールアドレスに宛てて送信する（ステップ６９５）。
【０１２０】
顧客端末２は、アプリケーションサーバ２０２から電子メールを受信し（ステップ７００）、これを表示装置などに表示する。
これによって顧客は、移動店舗６がエリアから逸脱した通知を受けることができる。
アプリケーションサーバ２０２は、ＧＰＳ識別テーブルのデータを更新することにより（ステップ７０５）、移動店舗６が当該エリアから逸脱したことを記憶する。
以上の変形例により、移動店舗表示システム１は、移動店舗６が営業するエリアに進入、あるいは逸脱した場合、電子メールにて当該エリアの顧客に通知することができる。
【０１２１】
次に、他の変形例について説明する。本変形例では、移動店舗６が１のエリアを逸脱して他のエリアに進入する際に、１のエリアの顧客に対しては、１のエリアから逸脱することを電子メールで通知し、他のエリアの顧客に対しては他のエリアに進入することを電子メールで通知するものである。
【０１２２】
以下に、図２３のフローチャートを用いて本変形例の電子メール送信手順について説明する。
なお、この例では、移動店舗６はエリアＡに進入した後、エリアＢに移動するものとし、アプリケーションサーバ２０２は、エリアＡ、エリアＢのそれぞれに顧客の電子メールアドレスを対応づけて記憶しているものとする。
また、エリアＡの顧客の端末を顧客端末Ａ、エリアＢの顧客の端末を顧客端末Ｂとする。
【０１２３】
まず、移動店舗端末３は、ＧＰＳ衛星４からのＧＰＳ信号により移動店舗６の移動に伴う現在位置を監視している。
そして、移動店舗端末３は、移動店舗６がエリアＡ内に進入したことを検出する（ステップ８５０）。
【０１２４】
移動店舗端末３は、移動店舗６がエリアＡに進入したことを検出すると、エリアＡのエリアコードとＧＰＳ識別コードを含み、エリアＡに進入した旨を通知するエリアＡ進入情報をアプリケーションサーバ２０２に送信する（ステップ８５５）。
そして、アプリケーションサーバ２０２は、移動店舗端末３からエリアＡ進入情報を受信する（ステップ８６０）。
アプリケーションサーバ２０２は、受信したエリアＡ進入情報に含まれるＧＰＳ識別コードから移動店舗６を特定し、また、エリアコードからエリアＡを特定する。
そして、アプリケーションサーバ２０２は、移動店舗６がエリアＡに進入した旨を通知する電子メールを、エリアＡに対応づけられた電子メールアドレスに宛てて送信する（ステップ８６５）。
【０１２５】
顧客端末Ａは、アプリケーションサーバ２０２から電子メールを受信し（ステップ８７０）、これを表示装置などに表示する。
アプリケーションサーバ２０２は、移動店舗６がいるエリアをＧＰＳ識別テーブル（図５）に記憶するようになっており、このデータを更新することにより（ステップ８７５）、移動店舗６が現在エリアＡにいることを記憶する。
【０１２６】
そして、移動店舗６が当該エリアで営業を終了して移動すると、移動店舗端末３は、現在位置がエリアＡからエリアＢに変化したことを検知することにより、移動店舗６がエリアＡを逸脱し、エリアＢに進入したことを検出する（ステップ８８０）。
【０１２７】
移動店舗端末３は、移動店舗６がエリアＡから逸脱し、エリアＢに進入したことを検出すると、エリアＡとエリアＢのエリアコードとＧＰＳ識別コードを含み、エリアＡから逸脱してエリアＢに進入した旨を通知するエリア逸脱／進入情報をアプリケーションサーバ２０２に送信する（ステップ８８５）。
そして、アプリケーションサーバ２０２は、移動店舗端末３からエリア逸脱／進入情報を受信する（ステップ８９０）。
【０１２８】
アプリケーションサーバ２０２は、受信したエリア逸脱／進入情報に含まれるＧＰＳ識別コードから移動店舗６を特定し、また、エリアコードからエリアＡからの逸脱とエリアＢへの進入を特定する。
そして、アプリケーションサーバ２０２は、移動店舗６がエリアＡから逸脱した旨を通知する電子メールをエリアＡに対応づけられた電子メールアドレスに宛てて送信する（ステップ８９５）。
顧客端末Ａは、アプリケーションサーバ２０２から電子メールを受信し（ステップ９００）、これを表示装置などに表示する。
【０１２９】
更に、アプリケーションサーバ２０２は、移動店舗６がエリアＢに進入した旨を通知する電子メールをエリアＢに対応づけられた電子メールアドレスに宛てて送信する（ステップ９０５）。
顧客端末Ｂは、アプリケーションサーバ２０２から電子メールを受信し（ステップ９１０）、これを表示装置などに表示する。
そして、アプリケーションサーバ２０２は、ＧＰＳ識別テーブルのデータを更新することにより（ステップ９１５）、移動店舗６がエリアＡから逸脱し、エリアＢに進入したことを記憶する。
以上の変形例により、移動店舗表示システム１は、エリアを移動する際に、逸脱するエリアの顧客、及び進入するエリアの顧客の双方に通知を行うことができる。
【０１３０】
以上に述べた本実施の形態、及び変形例によって次のような効果を得ることができる。
（１）移動店舗６が営業している地点をウェブサイト上の地図で示すことができる。
（２）移動店舗端末３は、移動店舗６の店舗状態を自動、又は手動で検知してアプリケーションサーバ２０２に通知することができる。
（３）管理者は、地図上に表示された移動店舗６の位置を補正することができる。
（４）ウェブサイト上の地図に次の営業地点を表示することができる。
（５）管理者は、顧客に送信する電子メール本文をアプリケーションサーバ２０２に登録することができ、随時編集することができる。
（６）移動店舗６の担当者は、移動店舗端末３を用いて在庫管理を行うことができると共に、移動店舗端末３は、アプリケーションサーバ２０２に在庫状況を通知することができる。
（７）移動店舗端末３は、移動店舗６の所定のエリアへの進入、及び所定のエリアからの逸脱を検出してアプリケーションサーバ２０２に通知することができる。
（８）アプリケーションサーバ２０２は、移動店舗端末３から移動店舗６が所定のエリアに進入した旨の通知を受けると顧客に電子メールを送信することができる。
【図面の簡単な説明】
【０１３１】
【図１】移動店舗表示システムのネットワーク構成を示した図である。
【図２】移動店舗端末のハードウェア的な構成を示した図である。
【図３】移動店舗端末の操作盤を説明するための図である。
【図４】アプリケーションサーバのハードウェア的な構成の一例を示した図である。
【図５】データ格納部に格納されているテーブルを説明するための図である。
【図６】移動店舗サイトの顧客画面に表示された店舗情報の一例を示した図である。
【図７】管理者が移動店舗の位置補正を行う場合を説明するための図である。
【図８】管理者が管理者画面から店舗情報を設定する手順を説明するためのフローチャートである。
【図９】管理者が移動店舗の位置を補正する手順を説明するためのフローチャートである。
【図１０】管理者が電子メールの本文を登録する手順を説明するためのフローチャートである。
【図１１】顧客が電子メールアドレスを登録する手順を説明するためのフローチャートである。
【図１２】移動店舗端末が自動モードにて営業中情報を送信する手順を説明するためのフローチャートである。
【図１３】移動店舗端末が手動モードにて営業中情報を送信する手順を説明するためのフローチャートである。
【図１４】移動店舗端末が自動モードにて営業終了情報を送信する手順を説明するためのフローチャートである。
【図１５】移動店舗端末が手動モードにて営業終了情報を送信する手順を説明するためのフローチャートである。
【図１６】在庫をアプリケーションサーバに通知する手順を説明するためのフローチャートである。
【図１７】在庫をアプリケーションサーバに通知する変形例を説明するためのフローチャートである。
【図１８】アプリケーションサーバに手動で現在位置を通知する手順を説明するためのフローチャートである。
【図１９】顧客端末に電子メールを送信する手順を説明するためのフローチャートである。
【図２０】移動店舗端末が各種情報を印字する手順を説明するためのフローチャートである。
【図２１】顧客が移動店舗にオーダする手順を説明するためのフローチャートである。
【図２２】電子メール送信手順の変形例を説明するためのフローチャートである。
【図２３】電子メール送信手順の変形例を説明するためのフローチャートである。
【符号の説明】
【０１３２】
１  移動店舗表示システム
２  顧客端末
３  移動店舗端末
４  ＧＰＳ衛星
５  管理者端末
６  移動店舗
１００  キャリアシステム
１０１  基地局
１０２  データ通信変換装置
１０３  基地局制御局
１０４  交換機
１０５  認証サーバ
１０６  ＧＰＳサーバ
１０７  基地局データベース
１０８  ＳＭＳ配信サーバ
１０９  パケットネットワーク
２００  サービス会社システム
２０１  認証サーバ
２０２  アプリケーションサーバ
２０３  ＳＭＳ配信要求サーバ
３００  インターネット
【図１】
2008123278.tif 000003
【図２】
2008123278.tif 000004
【図３】
2008123278.tif 000005
【図４】
2008123278.tif 000006
【図５】
2008123278.tif 000007
【図６】
2008123278.tif 000008
【図７】
2008123278.tif 000009
【図８】
2008123278.tif 000010
【図９】
2008123278.tif 000011
【図１０】
2008123278.tif 000012
【図１１】
2008123278.tif 000013
【図１２】
2008123278.tif 000014
【図１３】
2008123278.tif 000015
【図１４】
2008123278.tif 000016
【図１５】
2008123278.tif 000017
【図１６】
2008123278.tif 000018
【図１７】
2008123278.tif 000019
【図１８】
2008123278.tif 000020
【図１９】
2008123278.tif 000021
【図２０】
2008123278.tif 000022
【図２１】
2008123278.tif 000023
【図２２】
2008123278.tif 000024
【図２３】
2008123278.tif 000025